(57)【要約】  【課題】その構造に基づき用途によって極めて薄いものから厚いものまで肉厚を自由に設計でき、しかもその脱着操作が容易であり、表面を平滑面とすることができるため直接肌に触れる被着製品に適用しても、肌に優しく違和感を感じさせない係着具を提供する。  【解決手段】ブラジャーなどの装着帯端に被着され、互いに係脱する雄雌の係着部材(101,151) からなる係着具(100) である。係着時の全体の肉厚が３．５ｍｍ以内の薄板成形材からなる。雄係着部材(101) は、前記薄板成形材の一部に前記装着帯(10,11) の前記端部同士の連結方向に直交して延在する１以上の係着突条部(104) を有し、雌係着部材(151) は、同じく薄板成形材の一部に前記係着突条部(104) と対応して延在する１以上の係合溝部(154) を有している。各係着断面は台形又はＴ字状の密着断面に形成されている。  【選択図】図１
2005218515.tif 000002
【特許請求の範囲】
【請求項１】
被着製品の対向する開放端にそれぞれ被着され、互いに係脱する雄雌の係着部材(101,151) からなる係着具(100) であって、
前記雄雌の各係着部材(101,151) が薄板成形材からなり、
前記雄係着部材(101) は、前記薄板成形材の一部に前記被着製品の一方の開放端を固着するための固着部(110) を有するとともに、その薄板成形材の片側表面に前記被着製品の前記開放端同士の連結方向に直交して延在する１以上の係着突条部(104) を有し、
前記雌係着部材(151) は、前記薄板成形材の一部に前記被着製品を他方の開放端を固着する固着部(153) を有するとともに、その薄板状成形材の片側表面に前記被着製品の開放端同士の連結方向に直交して延在する１以上の係合溝部(154) を有し、
前記係着突条部(104) は、前記薄板成形材側の突出基端が前記係着突条部の横断方向に狭く、その突出端に向けて漸次広くされた断面形状を有し、
前記係合溝部(154) は前記薄板成形材の片側表面に開口し、同開口端が前記係着突条部(104) の突出基端の横断方向の寸法と等しい開口幅を有するとともに、前記係着突条部の断面形状と等しい寸法及び断面形状を有してなる、
ことを特徴とする係着具。
【請求項２】
前記雄雌係着部材(101,151) の前記薄板成形材のいずれか一方に、係脱孔部(158) が形成されるとともに、前記雄雌係着部材の前記薄板成形材のいずれか他方に、先端に係止爪部(108a)を有する弾性片(108) が付設されてなり、
前記係脱孔部(158) と前記弾性片(108) とは、前記雄係着部材(101) の係着突条部(104) と雌係着部材の係合溝部(154) との完全係着時に、前記弾性片(108) の係止爪部(108a)が前記係脱孔部(158) と係止する位置に設けられてなる請求項１記載の係着具。
【請求項３】
前記係着突条部(104) 及び係合溝部(154) の各係着端が、各薄板成形材の対面側表面の同一側縁側に偏位して配され、前記係着突条部(104) 及び係合溝部(154) の各係合始端に連続するランド部(106) と係合凹陥部(156) とを有し、
前記ランド部(106) と係合凹陥部(156) とは平面視で対面側表面に沿って漸次拡がりながら他側縁側に向けて延びてなり、
前記ランド部(106) 及び係合凹陥部(156) もまた、前記係着突条部(104) 及び係着溝部(154) と同様に狭い幅から広い幅へと漸次移行する互いに係着する係着断面を有してなる、
請求項１又は２記載の係着具。
【請求項４】
前記係着溝部(154) が被着製品の連結方向に所定のピッチをもって複数並列して形成されてなる請求項１又は３記載の係着具。
【請求項５】
前記係着突条部(104) 及び係着溝部(151) の各断面形状が台形である請求項１記載の係着具。
【請求項６】
前記係着突条部(104) 及び係着溝部(154) の各断面形状が略Ｔ字形である請求項１記載の係着具。
【請求項７】
前記雄雌係着部材(101,151) の前記係着突条部(104) 及び係着溝部(154) の係着面以外の領域においても互いに嵌着する凹凸形状を有してなり、前記雄雌係着部材(101,151) の係着完了時、全体形状が一枚の板状を呈してなる請求項１記載の係着具。
【発明の詳細な説明】
【技術分野】
【０００１】
本発明はテープやバンド類の端部の連結、被服や下着の開放端の結合などに好適に使用できる各種の被着製品間の係着具に関する。
【背景技術】
【０００２】
従来から整容や補正のための婦人用の下着としてはブラジャーやコルセット、ガードルなどが広く使われている。これらの下着類は体形を補正するとともに容姿を整えて、外衣を着用したときの身体の線をより美しくする。これらの下着は、一般にその一部が係着具を介して開放可能となっており、その係着具の取付け位置が身体の前面や側面にあるときはまだしも、係着具を直視できない背面側にあるときは、その係脱に手間取ることが多い。また、特に婦人用の下着類は着用時にも外衣を着用することにより直接外見に曝されることはないが、身体の線などを美しく保とうとすると、外衣の外からも下着の着用が殊更に認識できないようにすることが望ましい。そのため、一般的には係着具として係着時にもそれほど厚みが気にならない平たいフック片とループ片とが使われている。
【０００３】
一方、例えば男性用、女性用を問わずズボンなどの前立などの上端部にも同様の係着具が配されている。これらの前立にあっても、開閉操作は前記係着具の脱着操作によってなされるが、その係着時における厚みが大きいと、左右の前立を重ねた状態で係着具を係着したとき、前立の上端部だけが膨出することになり、外観的に見栄えのよいものとは言えない。そこで、前記係着具としては、婦人用と同様に平たいフック片とループ片が使われる。婦人用下着類に使われるフック片及びループ片には、その多くが金属線材を折り曲げることによって形成されることが多いが、ズボンやスカートなどの係着具には強度が要求されるため薄い金属板片を使って製造されているのが一般的である。
【０００４】
しかるに、こうした従来の係着具にあっても材料を屈曲させてフック片やループ片を製造するため、その構造上から或いは強度的な面から、必然的に係着時における厚みが大きくなってしまい、外観的に違和感を持たせてしまう。従来も、こうした不具合を回避すべく、例えば独国特許第２５３３５６５Ｃ２号明細書（特許文献１）や特開２０００−１４４１１号公報（特許文献２）、或いは欧州特許第０６０８５８０Ａ１号公開公報（特許文献３）などに記載されているような係着具が多く提案されている。
【０００５】
特許文献１はブラジャーの係着具として、或いは鳩目などの代わりに使われるスリーブなどの閉鎖具として使われるものであり、各被着製品の連結部に雄体を被着するとともに、別途独立して雌体を設けている。雄体は、矩形状の薄板片の一端に同薄板片の肉厚よりも大きな径をつ嵌着バーが同薄板の左右から外側に突出して連設され、同薄板片の他端には被着製品に固着される固着片を有している。一方、雌体は中央に前記嵌着バーを嵌挿できる貫通空間を有する一対以上の細長い筒状片が並列して結合されており、各筒状片の周面には筒状片同士の結合線と９０°の位相角をもつ位置に、各軸線に沿って筒状片の両端まで通じるスリットが形成されている。また同時に各筒状片の周面には、同筒状片の前記スリットに連通し、前記薄板を収容できる深さと幅をもつ切欠きが各筒状片の軸線を含む平面に平行で且つ互いが離間する外側に向けて形成されている。
【０００６】
この係着具によれば、例えばブラジャーの連結しようとする装着テープ端部に、それぞれ雄体の上記固着片を縫製などにより固着する。いま対向する装着テープ端部同士を連結しようとするときは、まず一方の前記嵌着バーを雌体の上記筒状片に形成されている貫通空間に左右いずれかの開口から差し込むようにして嵌挿する。このとき、同時に薄板片を前記雌体に形成されている上記スリットを介して摺嵌させる。嵌着バーの全長が貫通空間に挿通されると、そこで雄体を雌体の前記貫通空間内で雌体の平面の延長上にくるまで回動させる。このとき、雄体の上記薄板片は雌体の筒状片に形成されている上記切欠きにより回動可能であり、回動が終了する位置で前記切欠き内に嵌着される。次いで、他方の雄体も同様の操作う行うことにより雌体に固定して、一対の装着テープ端部同士が連結される。装着テープ端部同士の連結を外すときは、一方の雄体を雌体に対して連結時とは反対方向に９０°回動させてから雄体の嵌着バーを雌体の筒状片から一方向に引き抜けばよい。
【０００７】
上記特許文献２に開示された係着具もまたブラジャーなどの係着具（アジャスター）に関するもであり、雌体である平板状のアジャスター基体と雄体である操作体とから構成されている。前記アジャスター基体の中央部には長手方向に延びる貫装用穴と前記基体の一端部に幅方向に延びる貫入口が連通して形成されている。貫装用穴の幅方向両側には複数のレール突条が列設されている。一方の同じく矩形板状の操作体の一端部には先端に左右に突出する摺動腕をもつＴ字状の支持体と止着体とが前後に間隔をおいて斜め下方に延出されている。また、前記支持体の両側下面には上記レール突条に係合する係止爪が突出して形成されている。該支持体と止着体とは前記貫入口を通過できる形状であって、操作体を前記貫入口から貫入させ、アジャスター基体の任意位置まで摺動し、支持体の摺動腕を支点として操作体を起倒させる揺動操作によりアジャスター基体と操作体とを係止離脱するというものである。
【０００８】
更に、上記特許文献３に開示された腰用ベルトの端部連結具は、ベルトの両端部に装着される板状の雄体と、両雄体に係着してベルト端部を連結する単一の板状の雌体とから構成されている。各雄体の片面にはベルトの幅方向に平行に延びる基端側が狭い断面が略台形の係着条が複数条突設され、一方の雌体の片面には同じくベルトの幅方向に平行に延びる開口端側が狭い断面が前記雄体の係着条に密嵌する略台形断面をもつ複数の係合溝が形成されている。更に、前記一対の雄体の一端にはベルトを挿通するとともにその挿通長さを調節できるベルト端部装着用の一対の開穴が開けられている。この腰用ベルトの端部連結具を使って、ベルト端部を連結するときは、まず雄体の前記一対の開穴にベルト端部を折り曲げながら挿通させて長さを調節する。次いで、雄体同士を突き合わせるようにして、雌体の対応する係合溝にその端部から雄体の対応する係着条を挿入することによりベルト端部を連結する。
【特許文献１】独国特許第２５３３５６５Ｃ２号明細書
【特許文献２】特開２０００−１４４１１号公報
【特許文献３】欧州特許第０６０８５８０Ａ１号公開公報
【発明の開示】
【発明が解決しようとする課題】
【０００９】
しかして、上記特許文献１に記載されたブラジャーの係着具では、まず雄体を雌体に対して直交するように配し、雄体の嵌着バーと薄板片とを雌体のスリットを介して筒状片の貫通空間に沿って摺嵌させたのち、雄体を雌体の延長平面上にくるまで回動させて係着を終える。また、雄体を雌体から外そうとするときは、まず雄体を薄板片が雌体のスリット位置にくるまで回動させたのち、薄板片を雌体のスリット内を摺動させながら雄体の嵌着バーを雌体の筒状片から引き抜いて雌体から外す。すなわち、特許文献１に開示された係着具にあっては、その係脱にあたって雄体を雌体に対して直角となるまで必ず回動しなければならず、操作が面倒であるだけでなく、それだけ一時的ではあってもブラジャーの締め付けがきつくなる。更に、雌体の筒状片は雄体の嵌着バーを挿入できるだけの貫通空間を有していなければならず、雌体の最も厚い部分となる筒状片の外径は、その内径との間の肉厚の２倍の肉厚に加えて雄体の嵌着バーの径を加えた寸法を必要とし、強度を考慮すると係着具としての厚みが局部的ではあっても大きなものとなってしまい、外衣を着用したときの外観にも影響を及ぼしかねない。
【００１０】
一方、特許文献２により提案されているブラジャー用のアジャスター（係着具）では、左右に摺動腕を有するＴ字状の支持体と止着体とを順次アジャスター基体の貫入口から貫入させ、その裏面側に形成された案内溝に沿って任意位置まで摺動し、支持体の摺動腕を支点として操作体を起倒させて、アジャスター基体の左右端縁部に形成された複数のレール突条に雌体の裏面から突出する係止爪を係脱させることにより結合と離脱を行うものである。
【００１１】
このように、特許文献２の係着具も上記特許文献と同様に操作体をアジャスター基体に対して揺動操作をするだけでなく、操作体の前後一対の摺動腕を雌体の単一の貫入口に順次貫入／抜出しさせなければならず、特に身体の背面側の指先による操作では構造が複雑に過ぎて煩雑であり、脱着操作が極めてしにくい。更には、アジャスター基体には操作体の一部を摺動案内する案内溝とレール突条を同一厚み方向に設けるため、どうしてもアジャスター基体の肉厚を厚くしなければならず、係着具全体としての厚みも大きくなる。因みに、この特許文献２ではアジャスター基体の肉厚を２．５ｍｍとしており、相手方の操作体に付いての具体的寸法が示されてはいないが、その構造からアジャスター基体の肉厚よりも大きくなることは否めない。
【００１２】
また、上記特許文献３に記載されたベルト連結具にあっては、一対の雄体と単一の雌体との３部材の組合せからなり、しかもそれらの部材が独立して扱われるため紛失しやすく、そのうちの一つでも紛失すると連結具自体の機能を失って廃棄せざるを得ない。
【００１３】
本発明は、こうした従来の課題を解決すべくなされたものであり、特にその構造に基づき用途によって極めて薄いものから厚いものまで肉厚を自由に設計でき、しかもその脱着操作が容易であり、表面を平滑面とすることができるため直接肌に触れる被着製品に適用しても、肌に優しく違和感を感じさせない係着具を提供することを主な目的とする。
【課題を解決するための手段】
【００１４】
前述の目的は、本発明の基本的構成である被着製品の対向する開放端にそれぞれが被着され、互いに係脱する雄雌の係着部材からなる係着具であって、前記雄雌の各係着部材が薄板成形材からなり、前記雄係着部材は、前記薄板成形材の一部に前記被着製品の一方の開放端を固着するための固着部を有するとともに、その薄板成形材の片側表面に前記被着製品の前記開放端同士の連結方向に直交して延在する１以上の係着突条部を有し、前記雌係着部材は、前記薄板成形材の一部に前記被着製品を他方の開放端を固着する固着部を有するとともに、その薄板状成形材の片側表面に前記被着製品の開放端同士の連結方向に直交して延在する１以上の係合溝部を有し、前記係着突条部は、前記薄板成形材側の突出基端が前記係着突条部の横断方向に狭く、その突出端に向けて漸次広くされた断面形状を有し、前記係合溝部は前記薄板成形材の片側表面に開口し、同開口端が前記係着突条部の突出基端の横断方向の寸法と等しい開口幅を有するとともに、前記係着突条部の断面形状と等しい寸法及び断面形状を有してなることを特徴とする係着具により達成される。
【００１５】
そして、前記雄雌係着部材の前記薄板成形材のいずれか一方に、係脱孔部が形成されるとともに、前記雄雌係着部材の前記薄板成形材のいずれか他方に、先端に係止爪部を有する弾性片が付設されてなり、前記係脱孔部と前記弾性片とは、前記雄係着部材の係着突条部と雌係着部材の係合溝部との完全係着時に、前記弾性片の係止爪部が前記係脱孔部と係止する位置に設けられてなることが望ましい。
【００１６】
また、本発明の好ましい態様として、前記係着突条部及び係合溝部の各係着端が、各薄板成形材の対面側表面の同一側縁側に偏位して配され、前記係着突条部及び係合溝部の各係合始端に連続するランド部と係合凹陥部とを有し、前記ランド部と係合凹陥部とは平面視で対面側表面に沿って漸次拡がりながら他側縁側に向けて延びてなり、前記ランド部及び係合凹陥部もまた、前記係着突条部及び係着溝部と同様に狭い幅から広い幅へと漸次移行する互いに係着する係着断面を有している。
【００１７】
前記係着突条部及び係着溝部は被着製品の連結方向に所定のピッチをもって複数並列して形成されていることが好ましく、前記係着突条部及び係着溝部の各断面形状が台形とするか、或いは前記係着突条部及び係着溝部の各断面形状がＴ字形とする。更には前記雄雌係着部材の係着面が互いに密着する凹凸形状を有してなり、前記雄雌係着部材の係着完了時、全体形状が一枚の板状を呈するようにする。
【作用効果】
【００１８】
本発明に係る係着具は、前記雄雌の各係着部材が熱可塑性合成樹脂材料を成形して得られる係着時の全体の肉厚が３．５ｍｍ以内の薄板成形材からなる。この薄板成形材の形状は任意に決めることができるが、例えば最も単純な形状である矩形であって、係着強度を確保するとともに係脱操作を容易にして前述の薄さを得るには、雄係着部材及び雌係着部材して上述の構成を採用することが肝要である。雄係着部材には、例えば断面が逆台形状の係着突条部を突設し、対する雌係着部材には薄板成形材の片面に逆台形状の係合溝部を形成する。このとき、係着突条部と係合溝部とは離脱可能な密嵌構造とされている。
【００１９】
このように、２枚の薄板成形材に係着突条部と係合溝部とをそれぞれ直接形成しているため、上記特許文献３のように３部材を必要とせず、係着具としては雄雌係着部材の２部材で足りる。また、係着時における雄雌係合部材の肉厚は、係着突条部と係合溝部との密嵌部分の板厚方向の高さに雄雌係合部材の各基板部分の肉厚を加えた寸法となる。因みに、熱可塑性の合成樹脂成形品であれば、前記係着突条部の突設高さ及び係合溝部の溝深さをそれぞれ１．３ｍｍとして、雄雌係着部材の基板部分の肉厚をそれぞれ０．６ｍｍとしても、所要の係着強度が確保され且つトータルで２．５ｍｍの極めて薄いブラジャー用の係着具が得られる。前記係合溝部は、一端が閉塞され、他端が開放されている。
【００２０】
いま、雄係着部材及び雌係着部材とを係脱するには、雄雌係着部材の一部を指先で摘まみ、雄係着部材に形成されている係着突条部を雌係着部材に形成されている係合溝部に、その開放端側から閉塞端まで嵌挿させることによって、雄係着部材と雌係着部材とを係着させる。この係着時には、雄雌係着部材の係着突条部及び係合溝部の断面形状が、上述のごとき末広がりとなるような形状であるがため、係着突条部及び係合溝部の長手方向に直交する方向の引っ張り力に対して十分な抗張力が得られるばかりでなく、雄係着部材と雌係着部材との重合方向の引っ張り力に対しても十分に耐えることができ、係着突条部を係合溝部から外さない限り雄係着部材と雌係着部材とが離脱することはない。その雄係着部材と雌係着部材との係着を外すときは、雄雌係着部材の一部を指先で摘まみ、雄係着部材の係着突条部を雌係着部材の係合溝部から引き抜くことにより簡単に離脱させることができる。
【００２１】
通常は上記構成でも十分に実用に供すことができるが、不用意に雄係着部材の係着突条部が雌係着部材の係合溝部から抜け出すおそれがある。そこで、本発明にあっては前記雄雌係着部材の前記薄板状基部のいずれか一方に、係脱孔部を形成し、前記雄雌係着部材の前記薄板状基部のいずれか他方に、先端に係止爪部を有する弾性片を付設して、前記雄係着部材の係着突条部と雌係着部材の係合溝部とが完全に係着したとき、前記弾性片の係止爪部が前記係脱孔部に係止するようにすることもできる。こうすることで、雄係着部材の係着突条部と雌係着部材の係合溝部との係着と、係止爪部と係脱孔部との係着により、前後左右及び上下の三方向に対する離脱を完全に防止できるようになる。
【００２２】
更に本発明にあっては、前記係着突条部及び係合溝部の各係合始端に連続して、平面視でランド部と係合凹陥部とをそれぞれ対面側表面に沿って漸次拡がりながら他側縁側に向けて延設することができる。このランド部及び係合凹陥部も、前記係着突条部及び係着溝部と同様に狭い幅から広い幅へと漸次移行し互いに係着する係着断面を有している。いま、係着突条部の先端を係合溝部の係合始端に係着させようとするとき、同係合溝部の係合始端に到るまでに広い幅から狭い係合溝部の係合始端へと漸次狭まる係合凹陥部により案内されるため、係着具が見えない場合でも、係着突条部を係合溝部に確実に係着させることができる。また、係合条部を係合溝部に案内される間、前記ランド部も前記係合凹陥部と幅方向において順次係着していく。
【００２３】
前記係着突条部及び係着溝部は対応して一対であっても、被着製品の開放端部同士を連結することはできるが、その係着の安定性を確保するためには、前記係着突条部及び係着溝部を被着製品の連結方向に所定のピッチをもって複数並列して形成することが望ましく、係着突条部と係着溝部との係着を、被着製品の開放端部同士の連結方向にて複数箇所で係着固定する。更に、この態様にあっては、複数並列して配される雄係着部材の係着突条部と雌係着部材の係合溝部との係着相手を被着製品の連結方向に任意にずらすことにより、身体の締め付け度合いなどを容易に調節できる。
【００２４】
以上の作用効果を実現するには、係着突条部及び係着溝部の各断面形状は台形、又はＴ字形に類似する形状とし、また前記雄雌係着部材の係着面を互いに嵌着する凹凸形状に形成すれば、前記雄雌係着部材の係着完了時には、係着具の全体形状が一枚の単一の板状を呈するようになり、板厚の薄さも手伝って感触的に良好な外観的にも違和感を感じさせない係着具となる。かかる係着具を適用するに最も適した被着製品としては、ブラジャーを挙げることができるが、その他にも例えばスリーブやガードル、或いはズボンやスカートの開閉部にも好適であり、更には例えば係着具の肉厚を大きくしても良い場合には、係着強度も高くすることができるため、例えば通常のバックルに代えて使うことも可能である。
【発明を実施するための最良の形態】
【００２５】
以下、本発明の代表的な実施形態を実施例に基づき図面を参照しながら具体的に説明する。図は全てが本発明の代表的な実施例を示している。
本発明の係着具は雄係着部材と雌係着部材とから構成される。本実施例による係着具１００は熱可塑性合成樹脂材料から成形され、係着具１００の代表的な被着製品である図示を省略したブラジャー本体に装着された左右一対の第１及び第２ブラジャー装着帯１０，１１の各対向端部に被着され、このブラジャー装着帯１０，１１の対向端部同士を連結し開放するために使用される。
【００２６】
図１及び図２に示すように、前記係着具１００の雄係着部材１０１は矩形板材からなる本体１０２の一隅角部が切り欠かれて切欠部１０３を形成している。また本体１０２の前記切欠部１０３とは反対側の短辺部分から第１装着帯固着用の矩形環部１１０が同一平面に沿って外側へと延設されている。これに対して、雌係着部材１５１は完全な矩形状の薄板成形材からなり、その薄板状基部の長辺部分にあたる左右縁部１５２に沿って第２装着帯１１を縫製により固着するための縫着溝１５３が形成されている。前記矩形環部１１０に第１装着帯１０の自由端部１０ａを挿通して巻き回され、その端部１０ａと帯本体１０ｂとを縫着して雄係着部材１０１を第１装着帯１０に取り付けている。一方、雌係着部材１５１は第２装着帯１１の自由端部に重ね合わされて、前記縫着溝１５３に沿って縫製一体化される。
【００２７】
本実施例による前記雄係着部材１０１は比較的に高硬度であるポリアセタール樹脂により成形され、前記雌係着部材１５１は高硬度で且つ衝撃強度の高いナイロン１２とエラストマー樹脂との混合物を使って成形されている。勿論、用途によって使用する熱可塑性樹脂材料の種類は任意に変更でき、或いは雄雌係着部材を同質材料により成形することもできる。或いは、金属材料を使ってダイキャスト成形により製造することもできる。
【００２８】
前記雄係着部材１０１の本体１０２は、図１及び図２に示すとおり、矩形板材の一隅角部を切り欠かれて切欠部１０３を形成している。この切欠部１０３は、一側縁から本体１０２の長手方向に直交する横断方向に直線的に切り欠かれた第１切欠部１０３ａと、その第１切欠部１０３ａから傾斜して屈曲し本体１０２の短辺側の側端まで直線的に切り欠かれた第２切欠部１０３ｂとからなる。この実施例によれば、上記第１切欠部１０３ａの始端から途中の屈曲端まで本体１０２の薄板状基部１０５の一表面に直線的に延在する係着突条部１０４が突設されている。前記係着突条部１０４は、本体１０２の長手方向に沿った断面形状が、図３に示すように、前記薄板状基部１０５の表面側に上辺を配し、その突設端側を底辺とする台形をなしている。また、図１及び図２に示すように、前記第１切欠部１０３ａに傾斜して続く第２切欠部１０３ｂと隣接する本体１０２には、前記係着突条部１０４に連続するランド部１０６が前記薄板状基部１０５に突設されている。
【００２９】
このランド部１０６の肉厚は、図３に示すように前記係着突条部１０４の肉厚に等しく、平面視で全体が直角三角形状を呈し、その頂点の相似形部分が切除された形状とされ、上記係合条部１０４の本体側側縁の延長線上に一側縁を有し、上記第２切欠部１０３ｂの傾斜縁を他側縁としている。このランド部１０６も、同じく本体１０２の長手方向に沿った断面形状が、前記薄板状基部１０５の表面側に上辺を配し、その突設端側を底辺とする台形をなしている。すなわち、係着突条部１０４もランド部１０６も、本体１０２の長手方向の両側縁の間が薄板状基部１０５の表面から係着突条部１０４及びランド部１０６の表面に向かって次第に拡がるテーパー面１０４ａ，１０６ａに形成されている。前記薄板状基部１０５は前記係着突条部１０４及びランド部１０６の直線状の側端と上記第１装着帯固着用の矩形環部１１０の長辺側の側縁との間にも所要の長さ延設され、その表面を外部に露呈させている。
【００３０】
本発明にあっては、以上の構成にても十分に初期の目的を達成することができるが、本実施例では上記構成に加えて更に薄板状基部１０５の表面に、図１に示すように上記ランド部１０６に続いて矩形板部１０７が形成されている。この矩形板部１０７は前記ランド部１０６と同一の肉厚をもっており、本体１０２の長手方向を長辺として、その短辺側の一側縁が上記第２切欠部１０３ｂの傾斜縁から屈曲して矩形環部１１０の長辺側の側縁に平行に延び、その他側縁を上記矩形環部１１０の長辺側の側端に一体化させている。
【００３１】
一方の上記雌係着部材１５１は、図５に示すように前記雄係着部材１０１と同様に矩形板材から構成されている。ただし、本実施例にあって雌係着部材１５１の長手方向の寸法は雄係着部材１０１の本体１０２の長手方向の寸法に略等しく、幅方向の寸法は雄係着部材１０１の本体１０２の幅寸法よりも長く設定されている。この雌係着部材１５１の第２装着帯１１の端部に固着する本発明における固着部は、雄係着部材１０１の上記矩形環部１１０とは異なり、雌係着部材１５１の薄板状基部１５５の相対する長辺部分に直線状に形成された左右一対の縫製溝１５３である。その固着は第２装着帯１１の自由端部に雌係着部材１５１を重ねて、前記縫製溝１５３に沿って縫製することにより縫糸１２をもって固着する。
【００３２】
本実施例にあっては、左右一対の前記縫製溝１５３間の本体１５２に、図５及び図６に示すように、上記雄係着部材１０１の係着突条部１０４及びランド部１０６にそれぞれ係合する係合溝部１５４及び係合凹陥部１５６を上記薄板状基部１５５の表面に達する深さをもって形成している。ここで、係合溝部１５４及び係合凹陥部１５６の深さは前記係着突条部１０４及びランド部１０６の高さ（肉厚）に等しく、雌係着部材１５１の前記薄板状基部１５５の肉厚は雄係着部材１０１の上記薄板状基部１０５の肉厚に等しく設定されている。また、前記係合溝部１５４及び係合凹陥部１５６の本体長手方向の各側壁には、雄係着部材１０１の上記係着突条部１０４及びランド部１０６の上記テーパー面１０４ａ，１０６ａに密着するテーパー面１５４ａ，１５６ａがそれぞれ形成されており、前記係合溝部１５４及び係合凹陥部１５６は同係合溝部１５４及び係合凹陥部１５６と前記係着突条部１０４及びランド部１０６との各テーパー面１０４ａ，１５４ａ；１０６ａ，１５６ａ同士が密着して嵌合する形状を有している。本実施例にあっては、複数対の係合溝部１５４及び係合凹陥部１５６が、第１及び第２装着帯１０，１１の連結方向に順次並列して形成されている。勿論、単に一対の係合溝部１５４及び係合凹陥部１５６を形成するだけでもよい。
【００３３】
雄係着部材１０１の上記係着突条部１０４及びランド部１０６と雌係着部材１５１の上記係合溝部１５４及び係合凹陥部１５６との各係合は、図８に示すように雌係着部材１５１の上記薄板状基部１５５の表面にあてがって、係着突条部１０４の先端を並列して複数対形成された係合凹陥部１５６のうち任意の係合凹陥部１５６の開放端側から、それに連続する係合溝部１５４に向けて、薄板状基部１５５の表面に摺接させなが矢印方向に移動させる。この移動の間に、係着突条部１０４の先端が係合溝部１５４の開放端に嵌着し、嵌着した状態で移動を続けると前記係着突条部１０４が係合溝部１５４の全長に係合する。この移動の間、係着突条部１０４の係着が進むに連れて、前記ランド部１０６も前記係合凹陥部１５６に順次係着する。複数対形成された係合凹陥部１５６から所望の係合凹陥部１５６を選択することにより、装着帯による締め付け力を多段階で調節できる。
【００３４】
この操作を円滑にするため、前記係合凹陥部１５６の開放端側に上記薄板状基部１５５の矩形薄板部１５７の表面を外部に露呈させている。この雌係着部材１５１の矩形薄板部１５７の対向面は、雄雌係着部材１０１，１５１が前述のようにして完全に係着すると、雄係着部材１０１に形成された上記矩形板部１０７の対向面に密着する。一方、前記係着突条部１０４及びランド部１０６と雌係着部材１５１の上記係合溝部１５４及び係合凹陥部１５６との各係合がなされると、図１２に示すように、雄雌の係着部材１０１，１５１の各薄板状基部１０５，１５５が外面に表出することになり、係着後の雄雌係着部材１０１，１５１は幅方向の側縁部に上記縫製溝１５３が形成された雌係着部材１５１の薄板状基部の１５５の一部が延在する一枚の板材の様相を呈する。そのため、例えば図示例のごとくブラジャーなどの装着帯１１，１２に本実施例による前述の係着具１００を被着した場合には、指先に触れる部分が平滑面であるため、安心して操作できる。
【００３５】
こうして雄係着部材１０１と雌係着部材１５１とを係合させると、その係着が上述のごとく係合溝部１５４及び係合凹陥部１５６が、図９及び図１０に示すように、同係合溝部１５４及び係合凹陥部１５６と前記係着突条部１０４及びランド部１０６の各テーパー面１０４ａ，１５４ａ；１０６ａ，１５６ａに密着嵌合して係着するため、第１及び第２装着帯１０，１１に引っ張り力が作用しても、或いは雄係着部材１０１と雌係着部材１５１を離間させる方向への力が作用しても、それらの力によく耐える。しかるに、上述の構成だけでは雄係着部材１０１の上記係着突条部１０４を雌係着部材１５１の上記係合溝部１５４から引き抜く方向の力に対して簡単に引き抜くことができる。
【００３６】
そこで、本実施例では上記構成に加えて、図１、図２、図４、図９及び図１１に示すように、更に雄係着部材１０１の上記ランド部１０６から矩形板部１０７にかけて延び、自由端が相手方の雌係着部材１５１の係着面に向けて付勢された弾性片１０８を設けている。この弾性片１０８の自由端には係着面から外方に突出する係止爪部１０８ａを有している。一方、雌係着部材１５１の上記矩形薄板部１５７にあって、各係合凹陥部１５６に対応する前記係止爪部１０８ａの係止位置には前記係止爪部１０８ａが係脱する係脱孔部１５８を有している。この係脱孔部１５８には矩形薄板部１５７を貫通する孔か盲孔が形成される。なお、図示例では弾性片１０８を矩形板部１０７に、係脱孔部１５８を矩形薄板部１５７に形成しているが、逆に弾性片を矩形薄板部１５７に、係脱孔部を矩形板部１０７に形成してもよい。かかる構成により、雄係着部材１０１と雌係着部材１５１とを係着させたとき、前記弾性片１０８の先端から突出する係止爪部１０８ａが弾性的に係止する。その結果、雄係着部材１０１の係着突条部１０４が雌係着部材１５１の係合溝部１５４から妄りに抜けることがなくなる。
【００３７】
図１３は上記実施例の雄係着部材１０１の変形例を示している。上記実施例では図１に示すように雄係着部材１０１に形成される単一の係着突条部１０４及びランド部１０６が形成されているに過ぎなかったが、この変形例では同一形状の前記係着突条部１０４及びランド部１０６を第１及び第２装着帯１０，１１の連結方向に隣合わせて複数対並列されている。このように係着突条部１０４及びランド部１０６の対を複数設けることにより、雄係着部材１０１と雌係着部材１５１とを係着すると、第１及び第２装着帯１０，１１の連結方向で複数段で同時に係着されるため、その係着強度が大幅に増加する。
【００３８】
図１４は上記実施例における係着突条部１０４（ランド部１０６）の断面形状の変形例を示している。この変形例では、係着突条部１０１の断面形状を単なる台形とせずに、略Ｔ字形となる盃状の正面形状に形成している。この場合、相手方の係合溝部１５４（係合凹陥部１５６）の断面形状は逆盃状の正面形状を呈する。かかる断面形状を採用することにより、第１及び第２装着帯１０，１１の連結方向の引っ張り力や係着突条部１０４（ランド部１０６）を係合溝部１５４（係合凹陥部１５６）から離間させる方向に作用する力に対する強度を増加させることができる。
【図面の簡単な説明】
【００３９】
【図１】本発明の代表的な実施例であるブラジャーの係着具を分離して示す立体図である。
【図２】同係着具の雄係脱部材を示す前面図である。
【図３】図２に示すIII-III 線の矢視図である。
【図４】図２に示すIV-IV 線の矢視図である。
【図５】上記係着具の雌係着部材の前面図である。
【図６】図５に示すVI-VI 線の矢視図である。
【図７】図５に示すVII-VII 線の矢視図である。
【図８】雄雌係着部材の係着操作を説明する説明図である。
【図９】係着状態にある雄雌係着部材の要部を拡大して示す背面図である。
【図１０】図９に示すX-X 線の矢視図である。
【図１１】図９に示すXI-XI 線の矢視図である。
【図１２】雄雌の係着部材の係着状態を示す前面図である。
【図１３】上記実施例における雄係着部材の変形例を背面側から見た立体図である。
【図１４】上記実施例における係着突条部の変形例を拡大して示す部分断面図である。
【符号の説明】
【００４０】
１０，１１            第１及び第２装着帯
１０ａ                自由端部
１０ｂ                帯本体
１２                  縫糸
１００                係着具
１０１，１５１        雄係着部材
１０２                本体
１０３                切欠部
１０３ａ，１０３ｂ    第１及び第２切欠部
１０４                係着突条部
１０４ａ              テーパー面
１０５，１５５        薄板状基部
１０６                ランド部
１０６ａ              テーパー面
１０７                矩形板部
１０８                弾性片
１０８ａ              係止爪部
１１０                矩形環部
１５２                左右縁部
１５３                縫着溝
１５４                係合溝部
１５４ａ              テーパー面
１５６                係合凹陥部
１５６ａ              テーパー面
１５７                矩形薄板部
１５８                係脱孔部
【図１】
2005218515.tif 000003
【図２】
2005218515.tif 000004
【図３】
2005218515.tif 000005
【図４】
2005218515.tif 000006
【図５】
2005218515.tif 000007
【図６】
2005218515.tif 000008
【図７】
2005218515.tif 000009
【図８】
2005218515.tif 000010
【図９】
2005218515.tif 000011
【図１０】
2005218515.tif 000012
【図１１】
2005218515.tif 000013
【図１２】
2005218515.tif 000014
【図１３】
2005218515.tif 000015
【図１４】
2005218515.tif 000016